(57)【要約】【課題】分割カーカス構造を有すると共にタイヤの耐ピンチカット性能を向上できる空気入りタイヤを提供すること。【解決手段】この空気入りタイヤ１は、一対のビードコア２１、２２と、ビードコア２１、２２のタイヤ径方向外側にそれぞれ配置されるビードフィラー３１、３２と、ビードコア２１、２２間にトロイド状に架け渡されるカーカス層４と、カーカス層４のタイヤ径方向外側に配置されるベルト層５とを有すると共に、カーカス層４がトレッド部センター領域にてタイヤ幅方向に分割されている。また、カーカス層４がタイヤの車両装着時にて車幅方向外側に位置する外側カーカス部４１と車幅方向内側に位置する内側カーカス部４２とに分割されるときに、外側カーカス部４１の引張強力が内側カーカス部４２の引張強力よりも大きい。【選択図】        図１
2008149905.tif 000002
【特許請求の範囲】
【請求項１】
一対のビードコアと、前記ビードコアのタイヤ径方向外側にそれぞれ配置されるビードフィラーと、前記ビードコア間にトロイド状に架け渡されるカーカス層と、前記カーカス層のタイヤ径方向外側に配置されるベルト層とを有すると共に、前記カーカス層がトレッド部センター領域にてタイヤ幅方向に分割されている空気入りタイヤであって、
前記カーカス層がタイヤの車両装着時にて車幅方向外側に位置する外側カーカス部と車幅方向内側に位置する内側カーカス部とに分割されるときに、前記外側カーカス部の引張強力が前記内側カーカス部の引張強力よりも大きいことを特徴とする空気入りタイヤ。
【請求項２】
前記外側カーカス部と前記内側カーカス部とが相互に異なる材質を有することにより、前記外側カーカス部と前記内側カーカス部との引張強力の差が形成される請求項１に記載の空気入りタイヤ。
【請求項３】
タイヤの車両装着時にて車幅方向外側に位置する前記ビードフィラーの径方向断面積が車幅方向内側に位置する前記ビードフィラーの径方向断面積よりも小さいことにより、車幅方向外側のサイドウォール部と車幅方向内側のサイドウォール部とのバネ特性が均一化される請求項１または２に記載の空気入りタイヤ。
【請求項４】
タイヤの車両装着時にて車幅方向外側に位置する前記ビードフィラーの高さが車幅方向内側に位置する前記ビードフィラーの高さよりも小さいことにより、車幅方向外側のサイドウォール部と車幅方向内側のサイドウォール部とのバネ特性が均一化される請求項１〜３のいずれか一つに記載の空気入りタイヤ。
【請求項５】
前記外側カーカス部と前記内側カーカス部とがトレッド部センター領域にてタイヤ幅方向に分離されて配置される請求項１〜４のいずれか一つに記載の空気入りタイヤ。
【請求項６】
前記外側カーカス部と前記内側カーカス部との隙間Ｗａが前記ベルト層のベルト最大幅Ｗに対して０．２０≦Ｗａ／Ｗ≦０．９０の範囲内にある請求項５に記載の空気入りタイヤ。
【請求項７】
前記外側カーカス部と前記内側カーカス部とがトレッド部センター領域にて重ね合わされて配置される請求項１〜４のいずれか一つに記載の空気入りタイヤ。
【請求項８】
前記外側カーカス部と前記内側カーカス部との重ね合わせ部の幅Ｗｂが前記ベルト層のベルト最大幅Ｗに対して０．２０≦Ｗｂ／Ｗ≦０．９５の範囲内にある請求項７に記載の空気入りタイヤ。
【請求項９】
前記外側カーカス部の巻き上げ高さが前記内側カーカス部の巻き上げ高さよりも大きい請求項１〜８のいずれか一つに記載の空気入りタイヤ。
【発明の詳細な説明】
【技術分野】
【０００１】
この発明は、空気入りタイヤに関し、さらに詳しくは、分割カーカス構造を有すると共にタイヤの耐ピンチカット性能を向上できる空気入りタイヤに関する。
【背景技術】
【０００２】
近年の空気入りタイヤでは、タイヤのサイドウォール部に発生するピンチカットを抑制すべき課題がある。また、タイヤを軽量化するために、カーカス層がトレッド部センター領域にてタイヤ幅方向に分割されている構造（分割カーカス構造）が採用されている。
【０００３】
上記の分割カーカス構造を有する従来の空気入りタイヤには、特許文献１に記載される技術が知られている。従来の空気入りタイヤ（乗用車用空気入りラジアルタイヤ）は、一対のビードコア間に跨ってラジアル方向に配置した有機繊維コードによるプライから成るカーカスを骨格とし、該カーカスのクラウン部を、複数層のベルトにて補強した空気入りラジアルタイヤであって、上記カーカスの少なくとも１プライは、そのクラウン部に欠落部を有し、さらに該欠落部に隣接してカーカス補助層を設ける。
【０００４】
【特許文献１】特開２０００−０７１７１４号公報
【発明の開示】
【発明が解決しようとする課題】
【０００５】
この発明は、分割カーカス構造を有すると共にタイヤの耐ピンチカット性能を向上できる空気入りタイヤを提供することを目的とする。
【課題を解決するための手段】
【０００６】
上記目的を達成するため、この発明にかかる空気入りタイヤは、一対のビードコアと、前記ビードコアのタイヤ径方向外側にそれぞれ配置されるビードフィラーと、前記ビードコア間にトロイド状に架け渡されるカーカス層と、前記カーカス層のタイヤ径方向外側に配置されるベルト層とを有すると共に、前記カーカス層がトレッド部センター領域にてタイヤ幅方向に分割されている空気入りタイヤであって、前記カーカス層がタイヤの車両装着時にて車幅方向外側に位置する外側カーカス部と車幅方向内側に位置する内側カーカス部とに分割されるときに、前記外側カーカス部の引張強力が前記内側カーカス部の引張強力よりも大きいことを特徴とする。
【０００７】
この空気入りタイヤでは、車幅方向外側のサイドウォール部が外側カーカス部により補強されるので、タイヤの耐ピンチカット性能が向上する利点がある。
【０００８】
また、この発明にかかる空気入りタイヤは、前記外側カーカス部と前記内側カーカス部とが相互に異なる材質を有することにより、前記外側カーカス部と前記内側カーカス部との引張強力の差が形成される。
【０００９】
この空気入りタイヤでは、外側カーカス部と内側カーカス部との引張強力差を既存の設備を用いて容易に形成できる利点がある。
【００１０】
また、この発明にかかる空気入りタイヤは、タイヤの車両装着時にて車幅方向外側に位置する前記ビードフィラーの径方向断面積が車幅方向内側に位置する前記ビードフィラーの径方向断面積よりも小さいことにより、車幅方向外側のサイドウォール部と車幅方向内側のサイドウォール部とのバネ特性が均一化される。
【００１１】
この空気入りタイヤでは、簡易かつ安価にタイヤ左右のバランスが適正化される利点がある。
【００１２】
また、この発明にかかる空気入りタイヤは、タイヤの車両装着時にて車幅方向外側に位置する前記ビードフィラーの高さが車幅方向内側に位置する前記ビードフィラーの高さよりも小さいことにより、車幅方向外側のサイドウォール部と車幅方向内側のサイドウォール部とのバネ特性が均一化される。
【００１３】
この空気入りタイヤでは、かかる構成では、簡易かつ安価にタイヤ左右のバランスが適正化される利点がある。
【００１４】
また、この発明にかかる空気入りタイヤは、前記外側カーカス部と前記内側カーカス部とがトレッド部センター領域にてタイヤ幅方向に分離されて配置される。
【００１５】
この空気入りタイヤでは、カーカス層が中抜き構造を有するので、カーカス層が単一構造を有する構成と比較して、タイヤが軽量化されると共にタイヤの製造コストが低減される利点がある。
【００１６】
また、この発明にかかる空気入りタイヤは、前記外側カーカス部と前記内側カーカス部との隙間Ｗａが前記ベルト層のベルト最大幅Ｗに対して０．２０≦Ｗａ／Ｗ≦０．９０の範囲内にある。
【００１７】
この空気入りタイヤでは、タイヤ重量を軽減しつつタイヤの操安性能が維持される利点がある。
【００１８】
また、この発明にかかる空気入りタイヤは、前記外側カーカス部と前記内側カーカス部とがトレッド部センター領域にて重ね合わされて配置される。
【００１９】
この空気入りタイヤでは、カーカス層の多層構造によりトレッド部センター領域のタイヤ強力が増加するので、タイヤ強力に関する仕様が適正に満たされる利点がある。
【００２０】
また、この発明にかかる空気入りタイヤは、前記外側カーカス部と前記内側カーカス部との重ね合わせ部の幅Ｗｂが前記ベルト層のベルト最大幅Ｗに対して０．２０≦Ｗｂ／Ｗ≦０．９５の範囲内にある。
【００２１】
この空気入りタイヤでは、トレッド部センター領域のタイヤ強力が適正に確保されると共に、タイヤ重量の過剰な増加およびタイヤの操安性能の悪化が抑制される利点がある。
【００２２】
また、この発明にかかる空気入りタイヤは、前記外側カーカス部の巻き上げ高さが前記内側カーカス部の巻き上げ高さよりも大きい。
【００２３】
この空気入りタイヤでは、外側カーカス部の巻き上げ高さが大きく設定されることにより、タイヤ幅方向外側のサイドウォール部の耐ピンチカット性能が向上する。
【発明の効果】
【００２４】
この発明にかかる空気入りタイヤでは、車幅方向外側のサイドウォール部が外側カーカス部により補強されるので、タイヤの耐ピンチカット性能が向上する利点がある。
【発明を実施するための最良の形態】
【００２５】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２６】
図１は、この発明の実施例にかかる空気入りタイヤを示すタイヤ子午線方向の断面図である。図２は、図に記載した空気入りタイヤの変形例を示す説明図である。図３〜図６は、この発明の実施例にかかる空気入りタイヤの性能試験の結果を示す試験結果表である。
【００２７】
この空気入りタイヤ１は、一対のビードコア２１、２２と、一対のビードフィラー３１、３２と、カーカス層４と、ベルト層５と、トレッドゴム６と、サイドウォールゴム７とを含んで構成される（図１参照）。ビードコア２１、２２は、左右一対を一組として構成される。ビードフィラー３１（３２）は、ビードコア２１（２２）のタイヤ径方向外周に配置されてタイヤのビード部を補強する。カーカス層４は、左右のビードコア２１、２２間にトロイド状に架け渡される。ベルト層５は、積層された複数のベルト材から成り、カーカス層４のタイヤ径方向外周に配置される。ベルト層５のタイヤ径方向外側には、ベルトカバー層５１が配置され、このベルトカバー層５１の両エッジ部にベルトエッジカバー層５２が配置される。トレッドゴム６は、カーカス層４およびベルト層５のタイヤ径方向外周に配置されてタイヤのトレッド部を構成する。サイドウォールゴム７は、カーカス層４のタイヤ幅方向外側に配置されてタイヤのサイドウォール部を構成する。
【００２８】
また、この空気入りタイヤ１では、カーカス層４がトレッド部センター領域にてタイヤ幅方向に分割されている（分割カーカス構造）。この実施例では、カーカス層４の分割端がタイヤ幅方向に相互に分離されており、トレッド部センター領域に中抜き部分が形成されている。かかる構成では、カーカス層４が中抜き部分を有することによりタイヤが軽量化され、且つ、この中抜き部分がトレッド部センター領域に配置されることによりタイヤに必要なサイドウォール部の剛性が確保される。
【００２９】
ここで、タイヤの車両装着時にて、車幅方向外側に位置するカーカス層４の分割部分４１を外側カーカス部と呼び、車幅方向内側に位置するカーカス層４の分割部分を内側カーカス部４２と呼ぶ。このとき、外側カーカス部４１の引張強力が内側カーカス部４２の引張強力よりも大きい。かかる構成では、車幅方向外側のサイドウォール部が外側カーカス部４１により補強されるので、タイヤの耐ピンチカット性能が向上する利点がある。
【００３０】
特に、ピンチカットは主としてタイヤ変形時におけるカーカス層の破断により発生するため、ビードフィラーやサイドウォールゴムではなくカーカス層そのものを補強することはきわめて有効である。この点において、上記の構成では、カーカス層４（外側カーカス部４１）が高い引張強力を有するので、カーカス層４の破断が効果的に抑制される。また、上記の構成では、カーカス層全体（外側カーカス部および内側カーカス部の双方）が高い引張強力を有する構成と比較して、カーカス層４の必要な部分（外側カーカス部４１）のみが補強されるので、タイヤの軽量化および低コスト化の点で好ましい。
【００３１】
また、かかる構成では、カーカス層が積層された二枚のカーカスプライから成ることによりタイヤのピンチカット性能を向上させている構成と比較して、カーカスプライの枚数増加に伴う製造工数の増加という課題がなく、また、タイヤが軽量化される利点がある。
【００３２】
［付加的事項１］
なお、この空気入りタイヤ１では、外側カーカス部４１と内側カーカス部４２とが相互に異なる材質を有することにより、外側カーカス部４１と内側カーカス部４２との引張強力の差が形成されることが好ましい。例えば、外側カーカス部４１の材料が内側カーカス部４２の材料よりも強い引張強度を有することにより、外側カーカス部４１の引張強力が内側カーカス部４２の引張強力よりも大きくなるように設定される。かかる構成では、外側カーカス部４１と内側カーカス部４２との引張強力差を既存の設備を用いて容易に形成できる利点がある。なお、外側カーカス部４１の材質および内側カーカス部４２の材質は、例えば、ポリエステル、アラミド、ナイロンなどの有機繊維、あるいは、スチール繊維などから適宜選択され得る。
【００３３】
［付加的事項２］
上記の構成では、外側カーカス部４１の引張強力が内側カーカス部４２の引張強力よりも大きいので、これらの引張強力の差によって生ずるタイヤ左右のサイドウォール部のバネ特性差を調整する必要がある。そこで、この空気入りタイヤ１では、タイヤの車両装着時にて車幅方向外側に位置するビードフィラー３１の径方向断面積が車幅方向内側に位置するビードフィラー３２の径方向断面積よりも小さいことにより、車幅方向外側のサイドウォール部と車幅方向内側のサイドウォール部とのバネ特性差が均一化されることが好ましい。一般に、ビードフィラーの径方向断面積が大きいほど、サイドウォール部のバネ強度が増加する。したがって、車幅方向外側のビードフィラー３１よりも車幅方向内側のビードフィラー３２の方がより大きな径方向断面積を有することにより、車幅方向外側のサイドウォール部のバネ強度が増加して各サイドウォール部のバネ特性が均一化される。かかる構成では、簡易かつ安価にタイヤ左右のバランスが適正化される利点がある。なお、ビードフィラー３１、３２の径方向断面積は、タイヤ子午線方向の断面視におけるビードフィラー３１、３２の断面積により規定される。
【００３４】
また、この空気入りタイヤ１では、タイヤの車両装着時にて車幅方向外側に位置するビードフィラー３１の高さＡ１が車幅方向内側に位置するビードフィラー３２の高さＡ２よりも小さい（Ａ１＜Ａ２）ことにより、車幅方向外側のサイドウォール部と車幅方向内側のサイドウォール部とのバネ特性が均一化されることが好ましい（図１参照）。一般に、ビードフィラーの高さが大きいほど、そのサイドウォール部のバネ特性が増加する。したがって、車幅方向外側のビードフィラー３１よりも車幅方向内側のビードフィラー３２の方がより大きなフィラー高さを有する（Ａ１＜Ａ２）ことにより、車幅方向外側のサイドウォール部のバネ強度が増加して各サイドウォール部のバネ特性が均一化される。かかる構成では、簡易かつ安価にタイヤ左右のバランスが適正化される利点がある。なお、ビードフィラー３１、３２の高さＡ１、Ａ２は、タイヤ子午線方向の断面視にて、ビードコア２１、２２の頂部からビードフィラー３１、３２のタイヤ径方向外側の端部までの距離に規定される。
【００３５】
［付加的事項３］
また、この空気入りタイヤ１では、外側カーカス部４１と内側カーカス部４２とがトレッド部センター領域にてタイヤ幅方向に分離されて配置されることが好ましい（図１参照）。すなわち、外側カーカス部４１と内側カーカス部４２とがトレッド部センター領域（ベルト層５の下方）にて隙間を隔てて配置される（カーカス中抜き構造）。かかる構成では、カーカス層４が中抜き構造を有するので、カーカス層が単一構造を有する構成と比較して、タイヤが軽量化されると共にタイヤの製造コストが低減される利点がある。
【００３６】
なお、上記の構成では、外側カーカス部４１と内側カーカス部４２との隙間Ｗａがベルト層５のベルト最大幅Ｗに対して０．２０≦Ｗａ／Ｗ≦０．９０の範囲内にあることが好ましい（図１参照）。これにより、タイヤ重量を軽減しつつタイヤの操安性能が維持される利点がある。例えば、Ｗａ／Ｗ＜０．２０では、タイヤ重量の軽減効果が小さく、また、０．９０＜Ｗａ／Ｗでは、タイヤの操安性能が悪化するおそれがある。
【００３７】
［付加的事項４］
また、この空気入りタイヤ１では、外側カーカス部４１と内側カーカス部４２とがトレッド部センター領域にて重ね合わされて配置されることが好ましい（図２参照）。すなわち、カーカス層４がトレッド部センター領域にて多層構造を有する。かかる構成では、カーカス層４の多層構造によりトレッド部センター領域のタイヤ強力が増加するので、タイヤ強力に関する仕様が適正に満たされる利点がある。
【００３８】
また、上記の構成では、外側カーカス部４１と内側カーカス部４２との重ね合わせ部の幅Ｗｂがベルト層５のベルト最大幅Ｗに対して０．２０≦Ｗｂ／Ｗ≦０．９５の範囲内にあることが好ましい（図２参照）。これにより、トレッド部センター領域のタイヤ強力が適正に確保されると共に、タイヤ重量の過剰な増加およびタイヤの操安性能の悪化が抑制される利点がある。例えば、Ｗｂ／Ｗ＜０．２０では、タイヤ強力の増加が少なく、また、０．９５＜Ｗｂ／Ｗでは、タイヤ重量の過剰な増加およびタイヤの操安性能の悪化が生じ得る。
【００３９】
［付加的事項５］
また、この空気入りタイヤ１では、外側カーカス部４１の巻き上げ高さＢ１が内側カーカス部４２の巻き上げ高さＢ２よりも大きい（Ｂ１＞Ｂ２）ことが好ましい（図１参照）。一般に、カーカス層では、その巻き上げ高さが大きいほどサイドウォール部の耐ピンチカット性能が向上する。したがって、上記の構成では、外側カーカス部４１の巻き上げ高さＢ１が大きく設定されることにより、タイヤ幅方向外側のサイドウォール部の耐ピンチカット性能が向上する。また、内側カーカス部４２の巻き上げ高さＢ２が小さく設定されることにより、外側ーカス部および内側カーカス部の双方の巻き上げ高さが高く設定される構成と比較して、タイヤ重量の増加が抑制される利点がある。
【００４０】
［性能試験］
この性能試験では、条件が異なる複数の空気入りタイヤについて、（１）操安性能、（２）耐ピンチカット性能および（３）タイヤ強力に関する性能試験が行われた（図３〜図６参照）。この性能試験では、タイヤサイズ１９５／６５Ｒ１５の空気入りタイヤがＪＡＴＭＡ規定の適用リムにリム組みされ、この空気位置タイヤに内圧２３０［ｋＰａ］が負荷される。
【００４１】
（１）操安性能に関する性能試験では、排気量２０００［ｃｃ］のＦＦ車である試験車両に空気入りタイヤが装着される。そして、試験車両が平坦な周回路を有するテストコースを６０［ｋｍ／ｈ］〜１００［ｋｍ／ｈ］で走行し、直進時における安定性およびレーンチェンジ時における操舵性について従来例を基準（１００）とした指数評価が行われる。この評価は、数値が大きいほど好ましい。
【００４２】
（２）耐ピンチカット性能に関する性能試験では、空気入りタイヤが試験車量の左前輪に装着されて高さ１１０［ｍｍ］の鋼製ブロックに３０［ｄｅｇ］の角度にて進入する。そして、エア漏れ又はバーストが発生する走行速度が測定されて評価が行われる。評価は、従来例を基準（１００）とした指数評価により行われ、その数値が大きいほど好ましい。
【００４３】
また、タイヤ強力に関する評価では、まず、半球状の先端を有する直径１９［ｍｍ］の棒鋼がタイヤのトレッド部に垂直に押しつけられる。そして、徐々に押しつけ荷重が増加されて、タイヤがバーストまたはリムタッチしたとき破壊エネルギーが測定される。そして、この測定結果に基づいて従来例を基準（１００）として指数評価が行われる。なお、破壊エネルギー［Ｊ］は、荷重［ｋＮ］×棒鋼変位量［ｍｍ］により規定される。
【００４４】
なお、タイヤ重量は、従来例を基準（１００）とした指数値により示され、その数値が小さいほど軽量であり好ましい。
【００４５】
従来例の空気入りタイヤでは、カーカス層が単一構造を有し、また、ポリエステル製である。また、カーカス層の引張強力が一様に設定され、且つ、左右のビードフィラーの径方向断面積（フィラー断面積）が等しく設定されている。
【００４６】
発明例１〜８の空気入りタイヤ１では、カーカス層４が外側カーカス部４１と内側カーカス部４２とに分割（カーカス分断）されており、また、外側カーカス部４１の引張強力が内側カーカス部４２の引張強力よりも大きい。また、発明例２の空気入りタイヤ１では、外側カーカス部４１と内側カーカス部４２とが相互に異なる材質を有することにより、外側カーカス部４１と内側カーカス部４２との引張強力の差が形成されている。
【００４７】
また、発明例３および発明例４の空気入りタイヤ１では、外側カーカス部４１と内側カーカス部４２とがトレッド部センター領域にてタイヤ幅方向に分離されている。また、発明例５および発明例６の空気入りタイヤでは、外側カーカス部４１と内側カーカス部４２とがトレッド部センター領域にて重ね合わされている。また、発明例７および発明例８の空気入りタイヤ１では、外側カーカス部４１の巻き上げ高さＢ１が内側カーカス部４２の巻き上げ高さＢ２よりも大きい。
【００４８】
試験結果に示すように、発明例１〜８では、従来例と比較して、タイヤの操安性能および耐ピンチカット性能が向上することが分かる（図３〜図６参照）。また、発明例１と発明例２とを比較すると、外側カーカス部４１と内側カーカス部４２との材質の相異により外側カーカス部４１と内側カーカス部４２との引張強力の差が形成される構成では、タイヤの操安性能および耐ピンチカット性能がさらに向上することが分かる（図３参照）。
【００４９】
また、発明例３と発明例４とを比較すると、外側カーカス部４１および内側カーカス部４２の隙間Ｗａとベルト層５のベルト層幅Ｗとの比Ｗａ／Ｗが適正化されることにより、タイヤ重量を低減しつつタイヤの操安性能および耐ピンチカット性能を向上できることが分かる（図４参照）。また、発明例５と発明例６とを比較すると、外側カーカス部４１および内側カーカス部４２の重ね合わせ部の幅Ｗｂとベルト層５のベルト最大幅Ｗとの比Ｗｂ／Ｗが適正化されることにより、タイヤの操安性能および耐ピンチカット性能を維持しつつタイヤ強力を増加させ得ることが分かる（図５参照）。また、発明例７と発明例８とを比較すると、外側カーカス部４１および内側カーカス部４２の巻き上げ高さＢ１、Ｂ２の調整により、タイヤの耐ピンチカット性能が向上することが分かる。
【産業上の利用可能性】
【００５０】
以上のように、本発明にかかる空気入りタイヤは、分割カーカス構造を有すると共にタイヤの耐ピンチカット性能を向上できる点で有用である。
【図面の簡単な説明】
【００５１】
【図１】この発明の実施例にかかる空気入りタイヤを示すタイヤ子午線方向の断面図である。
【図２】図に記載した空気入りタイヤの変形例を示す説明図である。
【図３】この発明の実施例にかかる空気入りタイヤの性能試験の結果を示す試験結果図表である。
【図４】この発明の実施例にかかる空気入りタイヤの性能試験の結果を示す試験結果図表である。
【図５】この発明の実施例にかかる空気入りタイヤの性能試験の結果を示す試験結果図表である。
【図６】この発明の実施例にかかる空気入りタイヤの性能試験の結果を示す試験結果図表である。
【符号の説明】
【００５２】
１    空気入りタイヤ
２１、２２  ビードコア
３１、３２  ビードフィラー
４    カーカス層
４１  外側カーカス部
４２  内側カーカス部
５    ベルト層
６    トレッドゴム
７    サイドウォールゴム
【図１】
2008149905.tif 000003
【図２】
2008149905.tif 000004
【図３】
2008149905.tif 000005
【図４】
2008149905.tif 000006
【図５】
2008149905.tif 000007
【図６】
2008149905.tif 000008